(57)【要約】【目的】  グループ化の状況を容易に確認できるようにする。【構成】  複数のチャンネル（ｃｈ）から入力する波形データを処理するデジタルミキサにおいて、そのｃｈへのフェーダ２７の割り当て及びそのｃｈのグループ化の設定を可能とし、あるグループに属するｃｈに割り当てられたフェーダ２７が操作された場合に、そのｃｈと同じグループに属するｃｈに割り当てられているフェーダ２７を示す情報を、いずれかの表示部の表示内容を制御して表示させる。このとき、例えば表示部としてＬＥＤ２６を使用し、その点滅を制御して、オンパラメータの値と同時に同じｃｈストリップ２０内のフェーダ２７に関するグループ化状況の情報を表示させるようにするとよい。【選択図】        図２
2005277490.tif 000002
【特許請求の範囲】
【請求項１】
複数のチャンネルから入力する音響信号に信号処理を施す音響信号処理装置であって、
前記チャンネルに割り当てる複数の操作子と、
表示手段と、
前記チャンネルのグループ化を設定する手段と、
あるグループに属するチャンネルに割り当てられた操作子が操作された場合に、そのチャンネルと同じグループに属するチャンネルに割り当てられている操作子を示す情報を前記表示手段に表示させる表示制御手段を設けたことを特徴とする音響信号処理装置。
【請求項２】
複数のチャンネルから入力する音響信号に信号処理を施す音響信号処理装置であって、
複数の操作子と、
表示手段と、
前記操作子のグループ化を設定する手段と、
あるグループに属する操作子が操作された場合に、その操作子と同じグループに属する操作子を示す情報を前記表示手段に表示させる表示制御手段を設けたことを特徴とする音響信号処理装置。
【請求項３】
請求項１又は２記載の音響信号処理装置であって、
特定種類の操作子のセットからなる操作子群を複数設け、
前記表示手段を、前記操作子群毎に該操作子群の近傍又は内部に設けたことを特徴とする音響信号処理装置。
【請求項４】
請求項３記載の音響信号処理装置であって、
前記操作子群毎に、該操作子群内の操作子によって設定するパラメータの値を表示するパラメータ値表示手段を設け、
前記表示制御手段が、前記パラメータ値表示手段に、前記パラメータの値の表示と同時に前記同じグループに属するチャンネルに割り当てられている操作子を示す情報の表示も行わせるようにしたことを特徴とする音響信号処理装置。
【発明の詳細な説明】
【技術分野】
【０００１】
複数のチャンネルから入力する音響信号に信号処理を施す音響信号処理装置に関し、特に、表示手段における表示内容に特徴を有する音響信号処理装置に関する。
【背景技術】
【０００２】
従来から、複数のチャンネルから入力する音響信号に信号処理を施す音響信号処理装置として、例えばデジタルミキサ（以下、単に「ミキサ」と言った場合にはこのデジタルミキサを指すものとする）が知られている。
このようなミキサは、例えば、ドラムセット、グランドピアノ等の大型楽器や、コーラス（声楽）、ストリングス（弦楽奏団）等の多人数による演奏音を集音し、ミキシング等の編集を行う際に用いられる。そして、このような場合、複数のマイクロフォンを用いて集音した音をそれぞれミキサの入力チャンネル（ｃｈ）に入力し、ミキサで各入力ｃｈのフェーダを操作して音量バランスを取ることが定石である。
【０００３】
しかし、このようにする場合、一度バランスを取った後、対象音源のトータルボリュームを増減するには、関連するｃｈのフェーダを全て同率で操作しなければならず、このような操作は実際上困難である。そこで、上記のようなミキサにおいて、フェーダについてグループ操作モードを設け、グループ内のいずれかのフェーダが操作された場合に、その変化量に応じてグループ内の他のフェーダを追従して移動させるようにすることが行われている。また、ｃｈについてグループを設定し、あるｃｈのパラメータを設定するフェーダが操作された場合に、そのｃｈと同じグループに属するｃｈのパラメータを設定するフェーダを追従して移動させるようにすることも行われている。
【０００４】
このような技術に関しては、例えば特許文献１や非特許文献１に記載されている。そして、このようなミキサによれば、苦労してセッティングしたｃｈ間の音量バランスを崩すことなく、グループ内の各ｃｈの音量を一様に制御することができる。従って、ドラムやピアノ等の各パート毎に入力ｃｈをグループ化することにより、マイクセッティングで形成した音場感や音色を崩さずに各パートの音量を制御することができる。
【特許文献１】特開平３−５８３５１号公報
【非特許文献１】「ＤＩＧＩＴＡＬ  ＰＲＯＤＵＣＴＩＯＮ  ＣＯＮＳＯＬＥ  ＤＭ２０００  取扱説明書」，ヤマハ株式会社，２００１年，ｐ．５−６，７４
【発明の開示】
【発明が解決しようとする課題】
【０００５】
ところで、このようなグループを設定するグループ化の操作は、近年ではＧＵＩ（グラフィカル・ユーザ・インタフェース）上の設定画面で受け付けるようにしていることが多い。従って、この設定画面を見れば、どのフェーダがどのグループに属するか、あるいはグループに属さないかがわかる。しかし、逆に言えば、このような設定画面を表示させなければ、グループ化の内容を見ることができなかった。
しかしながら、実際に音響信号を処理しながら操作を行う場合には、設定画面を表示させる操作は煩雑であり、困難である場合もあるという問題があった。一方で、操作しようとする操作子又はその操作子と対応するｃｈがグループ化されているか否か、グループ化されているとすればどの操作子がその操作子と連動して制御されるようになっているのかを常に確認したいという要求もあった。
【０００６】
この発明は、このような問題を解決し、複数のチャンネルから入力する音響信号に信号処理を施す音響信号処理装置において、グループ化の状況を容易に確認できるようにすることを目的とする。
【課題を解決するための手段】
【０００７】
上記の目的を達成するため、この発明の音響信号処理装置は、複数のチャンネルから入力する音響信号に信号処理を施す音響信号処理装置において、上記チャンネルに割り当てる複数の操作子と、表示手段と、上記チャンネルのグループ化を設定する手段と、あるグループに属するチャンネルに割り当てられた操作子が操作された場合に、そのチャンネルと同じグループに属するチャンネルに割り当てられている操作子を示す情報を上記表示手段に表示させる表示制御手段を設けたものである。
また、この発明は、複数のチャンネルから入力する音響信号に信号処理を施す音響信号処理装置において、複数の操作子と、表示手段と、上記操作子のグループ化を設定する手段と、あるグループに属する操作子が操作された場合に、その操作子と同じグループに属する操作子を示す情報を上記表示手段に表示させる表示制御手段を設けた音響信号処理装置も提供する。
【０００８】
これらの各音響信号処理装置において、特定種類の操作子のセットからなる操作子群を複数設け、上記表示手段を、上記操作子群毎にその操作子群の近傍又は内部に設けるとよい。
さらに、上記操作子群毎に、その操作子群内の操作子によって設定するパラメータの値を表示するパラメータ値表示手段を設け、上記表示制御手段が、上記パラメータ値表示手段に、上記パラメータの値の表示と同時に上記同じグループに属するチャンネルに割り当てられている操作子を示す情報の表示も行わせるようにするとよい。
【発明の効果】
【０００９】
以上のようなこの発明の音響信号処理装置によれば、複数のチャンネルから入力する音響信号に信号処理を施す音響信号処理装置において、グループ化の状況を容易に確認できるようにすることができる。
【発明を実施するための最良の形態】
【００１０】
以下、この発明を実施するための最良の形態を図面に基づいて具体的に説明する。
まず、この発明の音響信号処理装置の実施形態であるデジタルミキサについて説明する。図１は、そのデジタルミキサの概略構成を示すブロック図である。
このデジタルミキサは、入力する音響信号（波形データ）に対して各種の信号処理を行って出力する音響信号処理装置であり、図１に示すように、ＣＰＵ１１，メモリ１２，外部機器Ｉ／Ｆ１３，コンソール１４，波形入出力部（Ｉ／Ｏ）１７，信号処理部（ＤＳＰ：デジタル・シグナル・プロセッサ）１８がシステムバス１９によって接続されている。
【００１１】
ＣＰＵ１１は、このデジタルミキサを統括制御する制御部であり、メモリ１２に記憶された所要の制御プログラムを実行することにより、外部機器Ｉ／Ｆ１３を介した通信の制御、コンソール１４からの操作情報の取得やコンソール１４における操作子１５や表示部１６の動作制御、ＤＳＰ１８における信号処理動作の制御、等の制御動作を行う。
メモリ１２は、ＲＯＭ，ＲＡＭ，ハードディスク等によって構成され、ＣＰＵ１１が実行する制御プログラムや必要なデータ、あるいはユーザが作成した設定データ等を記憶したり、ＣＰＵ１１のワークメモリとして使用したりする記憶手段である。
【００１２】
外部機器Ｉ／Ｆ１３は、ＰＣ（パーソナルコンピュータ）や音源ユニット等の外部機器と通信を行うためのインタフェースであり、例えばＩＥＥＥ１３９４（Institute of Electrical and Electronic Engineers 1394）規格やＲＳ２３２Ｃ（Recommended Standard 232 version C）規格に準拠したインタフェースを用いることができる。また、ネットワークカード等を用いてＬＡＮ（ローカルエリアネットワーク）を介した通信を行うこともできる。
【００１３】
コンソール１４は、このデジタルミキサに対する操作を受け付けたり、各種メッセージや動作状態等を表示したりするためのユニットであり、操作子１５と表示部１６とを備えている。
そして、操作子１５は、このデジタルミキサに対する種々の設定指示や操作指示を受け付けるためのものであり、フェーダやロータリーエンコーダを始め、種々のスイッチやダイヤル、ボタン等によって構成されている。また、表示部１６は、液晶ディスプレイやＬＥＤ（発光ダイオード）等によって構成され、各種パラメータを設定するための設定画面、そのパラメータの設定内容、各種メッセージやこのデジタルミキサの動作状態等の表示を行う。もちろん、後述するｃｈのグループ化に関する設定内容の表示も行う。
【００１４】
波形Ｉ／Ｏ１７は、ＤＳＰ１８にて処理すべき音響信号の入力を受け付けたり、ＤＳＰ１８での処理後の音響信号を出力したりするためのインタフェースである。音響信号の入力は、例えば９６ｃｈで受付可能であり、アナログ信号を入力する場合にはＡ／Ｄコンバータによってデジタル信号に変換する。なお、ここから入力する音響信号は、ハードディスク等の記憶装置から読み出したデータでもよい。また出力は、例えば４８ｃｈで行うことが可能であり、アナログ信号を出力する場合にはＤＳＰ１８での処理後の音響信号をＤ／Ａコンバータによってアナログ信号に変換する。
【００１５】
ＤＳＰ１８は、コンソール１４の操作及びそれに応じたＣＰＵ１１からの指示によって指定される各種パラメータに従って、波形Ｉ／Ｏ１７から入力する音響信号（波形データ）に対してミキシング、イコライジング、エフェクト処理等の各種の信号処理を行って出力するユニットである。そして、多ｃｈの音響信号を同時に処理可能である。
【００１６】
次に、このデジタルミキサのコンソール１４について説明する。図２は、そのコンソール１４の構成を、この実施形態の特徴と関連する部分を中心に示す図である。この図において、この実施形態の特徴と関連しない部分については、図示を省略している。
図２に示すように、コンソール１４には、ｃｈストリップ２０ａ〜２０ｎ（総称する場合は符号「２０」を用いる）、液晶パネル３１、カーソルキー３２、レイヤ選択キー３３、設定操作子３４を設けている。
【００１７】
このうち各ｃｈストリップ２０は、波形Ｉ／Ｏ１７の各ｃｈに割り当て、割り当てられた入力ｃｈや出力ｃｈについてのパラメータの設定操作を行うための操作子群であり、ここでは２４ｃｈ分設けている。
そして、各ｃｈストリップ２０には、表示パネル２１，ロータリーエンコーダ２２，選択スイッチ２３，ソロスイッチ２４，オンスイッチ２５，フェーダ２７を設けている。なお、特定のｃｈストリップ中のこれら各ユニットを指す場合には、そのユニットが属するｃｈストリップと同じアルファベットを付した符号を用いるが、各ｃｈストリップのユニットを総称する場合には、アルファベットのない符号を用いる。
【００１８】
そして、上記のユニットのうち表示パネル２１は、蛍光管ディスプレイであり、各ｃｈストリップ２０に割り当てられたｃｈの番号や、ｃｈストリップ２０内の操作子によって設定したパラメータの値を表示する表示部である。この表示パネル２１に、後述するｃｈのグループ化に関する情報を表示させることも可能である。
ロータリーエンコーダ２２は、絶対位置に関係無く操作量と回転方向のみを検出するダイヤル式のスイッチであり、ユーザによる設定内容に応じて、パンニング調整やイコライザパラメータの調整等に使用される。
【００１９】
選択スイッチ２３、ソロスイッチ２４、オンスイッチ２５は、それぞれｃｈの選択、ソロ出力、出力オンを設定するためのスイッチであり、これらのスイッチを押下することにより、対応するパラメータのＯＮ／ＯＦＦをトグルで切換えることができる。また、これらの各スイッチには、ＬＥＤを備え（オンスイッチ２５に備えるもののみに代表して符号２６を付す）、その点灯／消灯によって対応するパラメータのＯＮ／ＯＦＦを表示することができる。この各ＬＥＤは、上記の表示パネル２１と共に、パラメータ値表示手段を構成する。
【００２０】
フェーダ２７は、各ｃｈの音量を設定するためのスライドボリウム（可変抵抗器）による音量操作子であり、そのつまみ２８を操作して適当な位置に移動させることにより、対応するｃｈストリップが割り当てられたｃｈの音量の値を定めることができる。また、このフェーダ２７はつまみ２８の駆動手段を備えたムービングフェーダであり、ＣＰＵ１１からの指示に従ってつまみ２８を移動させることができる。さらに、タッチセンサも備えており、ユーザによるつまみ２８への接触を検出することができる。
【００２１】
また、液晶パネル３１は、このデジタルミキサにおけるパラメータの設定を行うためのＧＵＩや、そのＧＵＩによる設定の結果、このデジタルミキサの動作状態等を表示するための表示部であり、パラメータ表示手段としても機能する。この液晶パネル３１に表示させる画面の種類は、設定操作子３４によって切換え可能である。
カーソルキー３２は、液晶パネル３１に表示させた画面上のカーソルやポインタを移動させたり、その画面上でパラメータの値を変更したりするための操作子である。
【００２２】
レイヤ選択キー３３は、ｃｈストリップ２０に波形Ｉ／Ｏ１７の各ｃｈを割り当てるための操作子である。このデジタルミキサにおいては、１〜２４番目のｃｈストリップの割り当て先をレイヤとして定義しておき、各レイヤ選択キーが押下された場合に、図３に示すような対応するレイヤに属する各ｃｈに各ｃｈストリップ２０を割り当てるようにしている。このようにすることにより、ｃｈストリップ２０の数よりも波形Ｉ／Ｏ１７のｃｈ数の方が多い場合でも、各ｃｈストリップ２０を適当なｃｈに割り当てることができる。なお、この場合において、ｃｈストリップ２０中の各操作子を、選択されたレイヤのｃｈに操作子毎に割り当てていると考えることもできる。
設定操作子３４は、その他の設定を行うための操作子であり、キー、ボタン、エンコーダ等の種々の操作子によって構成することができる。
【００２３】
次に、ｃｈのグループ化について説明する。以下に説明する機能及び動作は、全てＣＰＵ１１がこのデジタルミキサを制御して行うものである。
このデジタルミキサにおいては、ｃｈをグループ化し、グループ内の各ｃｈのパラメータの値を連動して変化させるようにすることができる。そして、このグループの設定は、設定操作子３４の操作により液晶パネル３１に図４に示すようなグループ設定画面４０を表示させて行うことができる。
【００２４】
この画面においては、ｃｈ一覧表示部４１とグループ一覧表示部４２とによりマトリクス状のグループ設定表示部４３を設け、このグループ設定表示部４３に、グループ化されているｃｈの情報を表示するようにしている。図４に示した例では、「●」により、各グループに属するｃｈを表示している。図４の例では、グループＡに１〜４ｃｈ及び２５〜２８ｃｈが属し、グループＢに５〜８ｃｈ及び２９〜３２ｃｈが属する場合の表示例を示している。
【００２５】
そして、この画面におけるグループの設定は、カーソルキー３２によりカーソル４４を上下に移動させて設定するグループを選択し、各ｃｈストリップ２０の選択スイッチ２３を押下することにより、対応するｃｈの所属／解除をトグルで設定できるようにしている。例えば、図４に示したカーソル位置で５番目のｃｈストリップの選択キーを押下すると、グループＢへの２９番目のｃｈの所属／解除を設定することができる。なお、１つのｃｈが複数のグループに同時に属することはないものとし、他のグループへの所属が設定された場合には、その時点で所属していた他のグループへの所属は解除するものとする。
【００２６】
また、このデジタルミキサには入力ｃｈは９６ｃｈあり、その他に出力ｃｈもあって、全てを１画面には表示しきれないため、タブ４５により表示を切換えて全てのｃｈについての設定画面を表示できるようにしている。この場合において、入力ｃｈ同士であれば、異なる画面に表示されるｃｈを同一グループに設定することも当然可能である。ただし、入力ｃｈと出力ｃｈは同一グループにはしないようにしている。
【００２７】
以上のように設定される各グループについて、そのグループに属するいずれかのｃｈについてパラメータの値が変更されると、同じグループの他のｃｈについてのパラメータの値も連動して変更するようにしている。この場合の連動には、変化量を同一にすることや、変化率を同一にすること等が考えられる。また、上記のように連動した変更を行う場合、そのパラメータの値が液晶パネル３１、表示パネル２１あるいはＬＥＤ２６等によって表示されていれば、その表示も同時に変更するようにしている。
なお、このように連動させて変更するパラメータを、一部のパラメータのみに限定したり、ユーザの好みに応じて選択できるようにしたりすることもできる。
【００２８】
ここで、図４に示したようにグループが定義され、各ｃｈストリップ２０には１〜２４番目の入力ｃｈが割り当てられている場合を考える。このとき、１番目のｃｈストリップ２０ａのオンスイッチ２５ａが押下されて１番目の入力ｃｈにＯＮが設定されると、ＬＥＤ２６ａが点灯されその旨が表示される。また、それと同時に同じグループに属する２〜４番目及び２５〜２８番目の入力ｃｈにもＯＮが設定される。そして、２〜４番目の入力ｃｈには、２〜４番目のｃｈストリップが割り当てられているため、これらのｃｈストリップにおけるＬＥＤ２６も点灯され、ＯＮが設定された旨が表示される。
また、フェーダ２７の操作によりパラメータが変更されると、同様に同じグループのｃｈに割り当てられたｃｈストリップのフェーダを操作されたフェーダに追従させて移動させることになる。なお、２５〜２８番目の入力ｃｈについては、ｃｈストリップ２０が割り当てられていないため、ｃｈストリップ２０における表示の変更はない。
【００２９】
ところで、このデジタルミキサにおいては、あるグループに属するｃｈに割り当てられたｃｈストリップ２０ｉのフェーダ２７ｉが操作された場合に、そのｃｈと同じグループに属するｃｈに割り当てられているフェーダを示す情報を表示するようにしている。そして、この表示は、ＣＰＵ１１によってＬＥＤ２６の点灯／消灯タイミングを制御して行っている。なお、「操作」には、実際にフェーダ２７のつまみ２８を移動させた場合だけでなく、タッチセンサ等によりユーザがつまみ２８に触れたことを検出した場合も含むものとする。
【００３０】
ここで、この表示の内容を図５のタイミングチャートを用いて説明する。この図において、ＨＩＧＨ／ＬＯＷは、タッチ検出有／無及び点灯／消灯をそれぞれ示す。なお、説明を簡単にするため、以下、「あるグループに属するｃｈに割り当てられたｃｈストリップの」フェーダ２７を、その「グループの」フェーダ２７あるいは「グループ化された」フェーダ２７と呼ぶことにする。ＬＥＤ２６についても同様とする。
【００３１】
まず、図５（ａ）に、この表示のための基本的な点滅シーケンスを示す。
この場合ＣＰＵ１１は、グループ化されたあるフェーダ２７ｉへの操作を検出すると、表示制御手段として機能し、図に示したようなＯＮ用点滅シーケンス及びＯＦＦ用点滅シーケンスを生成する。そして、これらの点滅シーケンスに従って、操作されたフェーダ２７ｉと同じグループのフェーダと対応するＬＥＤ２６を点滅させ、同じグループに属するフェーダを示させる。
また、ＬＥＤ２６は、通常は割り当てられたｃｈの出力ＯＮ／ＯＦＦを表示する表示部として機能させていることから、グループに関する表示を行わせる際にも出力ＯＮ／ＯＦＦに関する表示内容を維持させるため、出力ＯＮのｃｈと対応するＬＥＤ２６はＯＮ用点滅シーケンスに従って、出力ＯＦＦのｃｈと対応するＬＥＤ２６はＯＦＦ用点滅シーケンスに従って点滅させる。
【００３２】
このような制御を行うことにより、ユーザは、ＬＥＤ２６が点滅しているｃｈストリップのフェーダは、操作されたフェーダ２７ｉと同じグループに属するフェーダであると認識できる。また、ＬＥＤ２６が示していた出力ＯＮ／ＯＦＦの情報も依然として認識できる。従って、もとの表示内容を維持したまま、ＬＥＤ２６によってｃｈのグループ化に関する情報を表示させることができる。なお、グループ化されていないフェーダの操作を検出した場合には、特別な表示制御は行う必要はない。
【００３３】
またここでは、同じグループに属する複数のフェーダの操作を同時に検出したとしても、１つのフェーダ２７ｉの操作を検出した場合と同様な表示を行うようにしている。また、フェーダ２７ｉの操作終了を検出すると、上記のシーケンスに従った制御を終了し、ＬＥＤ２６の表示をもとの出力ＯＮ／ＯＦＦの表示に戻すようにしている。ただし、初めに操作を検出したフェーダ２７ｉの操作が終了しても、同じグループの別のフェーダの操作を検出している間は、そのグループに関する表示を継続するようにしている。
【００３４】
また、ＯＮ用及びＯＦＦ用の点灯シーケンスは、１周期の期間を同じにし、どちらも同時に点灯するように定めるとよい。この点灯タイミングは、操作検出エッジと一致させる必要はない。また、ＯＮ用点灯シーケンスでは点灯期間が消灯期間より長くなるようにし、ＯＦＦ用点灯シーケンスにおける点灯期間は比較的短い期間にするとよい。このようにすると、見やすい表示が実現できる。また、１周期の期間や、点灯期間と消灯期間の比率は、ユーザが表示内容を認識し易いように適宜定めればよい。例えば、図中に矢印で示した期間を０．５秒程度とするとよい。
【００３５】
次に、図５（ｂ）に複数のグループを区別して表示する場合の点滅シーケンスを示す。
この場合ＣＰＵ１１は、グループ化されたあるフェーダ２７ｉへの操作を検出すると、例えば３つのグループを区別して表示するための表示シーケンスとして、図に示すような第１乃至第３のＯＮ用点滅シーケンス及びＯＦＦ用点滅シーケンスを生成する。そして、初めに操作されたフェーダ２７ｉと同じグループのフェーダと対応するＬＥＤ２６を、そのうち１つのＯＮ用点滅シーケンス及びＯＦＦ用点滅シーケンスに従って点滅させる。また、同時にあるいはその後他のグループに属するフェーダが操作された場合には、そのフェーダと同じグループのフェーダと対応するＬＥＤ２６を、別のＯＮ用点滅シーケンス及びＯＦＦ用点滅シーケンスに従って点滅させる。
【００３６】
また、あるグループのフェーダの操作終了が検出された場合、そのグループについてはＬＥＤ２６の表示をもとの出力ＯＮ／ＯＦＦの表示に戻す。また、４つめ以降のグループに属するフェーダの操作を検出した場合、その時点で表示に使用していない点滅シーケンスがあれば、それに従ってそのフェーダと同じグループのフェーダと対応するＬＥＤ２６を点滅させる。もしなければ、最先から表示しているグループの表示を中止し、その表示に用いていた点灯シーケンスを、新たに操作されたフェーダの属するグループの表示に使用する。そして、以上のような制御を、グループ化された全てのフェーダについて操作が検出されなくなるまで行う。
また、第１乃至第３の点灯シーケンスは、周期と点灯デューティーは共通とし、シーケンスの位相（点灯タイミング）が異なるものとするとよい。対応するＯＮ用とＯＦＦ用のシーケンスの関係は、上記図５（ａ）の場合と同様とするとよい。
【００３７】
このような制御を行うことにより、ユーザは、複数のグループのフェーダを同時に操作した場合でも、ＬＥＤ２６の点灯タイミングにより、操作したフェーダと同じグループのフェーダがどれであるかを認識することができる。そして、ＬＥＤ２６が示していた出力ＯＮ／ＯＦＦの情報も依然として認識できることも、上述した通りである。従って、もとの表示内容を維持したまま、ＬＥＤ２６によってｃｈのグループ化に関する情報を表示させることができるといえる。
【００３８】
このとき、２つ目以降のグループのフェーダが操作された時点でそのグループを表示するためのシーケンスの生成を開始するのではなく、初めのグループのフェーダが操作された時点で各３種類のＯＮ用及びＯＦＦ用シーケンスを生成しておき、後から別のグループのフェーダが操作された場合に、予め生成してあるシーケンスをその操作のタイミングから使用してＬＥＤ２６を点滅させるようにするとよい。また、フェーダの操作終了を検出した後も、全てのグループのフェーダについて操作が検出されなくなるまでは、３種類のシーケンスの生成を続け、新たなグループのフェーダの操作を検出した場合に直ちにそのグループの表示に対応できるようにするとよい。このようにした場合、図に仮想線で示した部分のシーケンスは、生成はされるが表示制御には使用されないことになる。
また、ここでは３種類までのグループを区別して表示できるようにした例を示したが、区別して表示するグループ数がこれに限られないことは言うまでもない。ただし、あまり種類を多くすると表示を区別しづらくなるし、あまり多数のグループを区別できるようにしたいという要求もないので、３種類程度とすることが好ましい。
【００３９】
次に、図５を用いて説明した以上のような表示制御を行うための処理の具体例を図６乃至図８のフローチャートに示す。なお、この図において、フェーダの操作に応じたパラメータ値変更等の一般的な処理や、点滅シーケンスの生成及び生成中止に関する処理は、図示を省略している。また、ｉは処理対象とするフェーダ２７やオンスイッチ２５の番号を示す変数であり、ｉ番目のｃｈストリップのフェーダやオンスイッチ等を、ｉ番目のフェーダやオンスイッチ等と呼ぶ。ＧＲＯＵＰＮＯ変数は、上記の点滅シーケンスと対応させて設ける変数であり、ここに登録したグループのＬＥＤ２６の点灯を、対応するＯＮ用又はＯＦＦ用の点滅シーケンスを用いて制御するようにしている。
【００４０】
このデジタルミキサにおいて、ＣＰＵ１１は、定期的に図６乃至図８のフローチャートに示す処理を行い、各フェーダ２７の操作状況をスキャンすると共に（Ｓ１）、ｉをインクリメントしながら各フェーダを順次処理対象とし、以下の各ステップで操作状況に応じてそのフェーダと対応するＬＥＤの表示制御に関する処理を行う。
そして、まず、処理対象となっているｉ番目のフェーダ２７ｉがグループ化されたものでない場合には、対応するオンスイッチ２５ｉの設定状態に応じて、すなわち割り当て先のｃｈについて設定されている出力ＯＮパラメータの値に応じて対応するＬＥＤ２６ｉの点灯を制御する（Ｓ３，Ｓ１０）。そして、図７のステップＳ１４に進み、フェーダ２７ｉが最後のフェーダでなければステップＳ３に戻って次のフェーダを対象として処理を繰り返し（Ｓ１５）、最後のフェーダであれば処理を終了する。
【００４１】
一方、フェーダ２７ｉがグループ化されていた場合、ステップＳ４以下に進む。そして、フェーダ２７ｉの操作開始（例えばタッチオン）を検出した場合（Ｓ４）、まだそのフェーダ２７ｉのグループ番号がＧＲＯＵＰＮＯ変数に登録されていなければ、そのグループ番号を空きのＧＲＯＵＰＮＯ変数に登録時点の時刻データと共に登録する（Ｓ５〜Ｓ７）。空きがなければ、最も登録時刻が古いＧＲＯＵＰＮＯ変数に上書きして登録する（Ｓ８）。時刻データは、ここで登録の先後を判断するために登録するものである。
また、既にグループ番号が登録されていれば、登録先のＧＲＯＵＰＮＯ変数を特定し、後の表示の際にその情報を利用できるようにする（Ｓ９）。
【００４２】
そして、ステップＳ７，Ｓ８又はＳ９の後は、図７の処理に進み、フェーダ２７ｉと対応するオンスイッチ２５ｉの設定状態に応じて、そのフェーダ２７ｉのグループ番号が登録されているＧＲＯＵＰＮＯ変数と対応するＯＮ用又はＯＦＦ用の点滅シーケンスを用いて、そのオンスイッチ２５ｉのＬＥＤ２６ｉの点灯を制御する（Ｓ１１〜Ｓ１３）。
そして、次のフェーダがあればステップＳ３に戻って処理を繰り返す（Ｓ１４，Ｓ１５）。
【００４３】
また、ステップＳ４で操作開始を検出しなかった場合、図８のステップＳ１６に進む。そして、フェーダ２７ｉの操作終了（例えばタッチオフ）を検出した場合、そのフェーダ２７ｉと同じグループのいずれのフェーダも操作中でなければ、そのフェーダのグループ番号が設定されているＧＲＯＵＰＮＯ変数をリセットして空にする（Ｓ１７〜Ｓ１９）。そしてこのことにより、フェーダ２７ｉが属するグループを示す表示を中止し、図６のステップＳ１０に進んで、通常通り対応するオンスイッチ２５ｉの設定状態に応じてＬＥＤ２６ｉの点灯を制御し、以降の処理を続ける。
ステップＳ１８でグループ番号が設定されていなければ、フェーダ２７ｉのグループ番号は既に図６のステップＳ８の処理で上書きされてしまっていると考えられるので、そのままステップＳ１０に進み、以降の処理を続ける。
【００４４】
また、ステップＳ１７でフェーダ２７ｉと同じグループのいずれかのフェーダが操作中であれば、そのグループを示す表示を中止する必要はないので、それまでの表示と同様な表示を続けるべく、ステップＳ２０に進む。そして、フェーダ２７ｉのグループ番号がいずれかのＧＲＯＵＰＮＯ変数に登録されていれば、そのグループを示す表示を行うために図６のステップＳ９に進んで以降の処理を行い、登録されていなければ、通常の表示を行うために図６のステップＳ１０に進んで以降の処理を行う。
また、ステップＳ１６で操作終了を検出しなかった場合、フェーダ２７ｉには特に操作状態に変化がなかったことになるので、それまでの表示と同様な表示を続けるべく、ステップＳ２０に進む。そして、ステップＳ１７でＮＯだった場合と同様、以降の処理を行ってＬＥＤ２６ｉの点灯をＧＲＯＵＰＮＯ変数の登録内容に応じて制御する。
【００４５】
以上の処理を行うことにより、図５を用いて説明したような表示制御が可能であり、グループ化されたフェーダが操作された場合に、そのフェーダと同じグループのフェーダを示す表示をＬＥＤ２６に行わせることができる。また、複数のグループのフェーダが同時に操作された場合でも、それぞれのグループを区別して認識できるような表示を行うことができる。
この場合において、グループ化されているフェーダの表示は、そのフェーダと同じｃｈストリップに含まれるＬＥＤを用いて行うため、フェーダとの対応関係が把握し易く、またフェーダの近傍で表示できるため、操作中のフェーダに注目している場合でも視認し易い表示が可能である。また、オンスイッチ２５によって設定する出力オンパラメータの値の表示に使用するＬＥＤ２６に、グループ化の状態の表示も行わせるようにしているので、グループ化の状態を表示するための新たな表示部を設けることは不要であり、コストアップを避けることができる。
【００４６】
なお、以上説明した実施形態においては、グループ化の状態の表示にオンスイッチ２５に設けたＬＥＤ２６を使用したが、選択スイッチ２３やソロスイッチ２４に設けたＬＥＤを使用したり、表示パネル２１を使用したりしても構わない。液晶パネル３１を使用することも可能である。また、ｃｈストリップ２０の内部や近傍に、専用の表示部を設けることも妨げない。
また、グループ化に関する情報の表示は、ランプの点滅だけでなく、点灯有無、点灯色、輝度、点灯位置、点灯範囲等によって行ってもよい。また、文字や図形によって表示することも可能である。例えば、表示パネル２１に各フェーダ２７のグループ番号を表示するようにしてもよい。
また、出力オフが設定されているｃｈに割り当てられているフェーダについては、グループ化に関する情報の表示を行わないようにしてもよい。このようなｃｈについては、フェーダを操作しても出力内容が変わるわけではないので、表示に対する要求が小さいためである。
【００４７】
さらに、フェーダ２７が操作された場合だけでなく、他の操作子が操作された場合にその操作子に関するグループ化の状態を、いずれかの表示部に表示させるようにしてもよい。この場合において、各パラメータ毎にグループ化を設定することが可能な場合には、操作された操作子の種類に応じて表示されるグループ化の状態が異なることも考えられる。
さらにまた、デジタルミキサの構成も、上述した実施形態のものに限られることはなく、操作子や表示部の配置や構成、グループ化の設定内容や設定方式を適宜変更することも可能である。例えば、ｃｈではなく、操作子に直接グループを設定し、操作子のグループ化の状態を表示させるようにすることも考えられる。
また、デジタルミキサだけでなく、アナログミキサや電子楽器等、他の音響信号処理装置にこの発明を適用することも当然可能である。さらに、その他の信号処理装置あるいは電子装置であっても、操作子及び表示部を備え、それらの操作子のグループ化を設定可能な装置であれば、適用可能である。
また、以上のような変形を適宜組み合わせて適用可能であることも、もちろんである。
【産業上の利用可能性】
【００４８】
以上の説明から明らかなように、この発明の音響信号処理装置によれば、複数のチャンネルから入力する音響信号に信号処理を施す音響信号処理装置において、グループ化の状況を容易に確認できるようにすることができる。従って、この発明を利用すれば、操作性の高い音響信号処理装置を提供することができる。
【図面の簡単な説明】
【００４９】
【図１】この発明の音響信号処理装置の実施形態であるデジタルミキサの概略構成を示すブロック図である。
【図２】そのデジタルミキサに備えるコンソールの構成を示す図である。
【図３】そのデジタルミキサにおけるレイヤについて説明するための図である。
【図４】同じくグループ設定画面の例を示す図である。
【図５】同じく操作子のグループ化状態の表示方式について説明するためのタイミングチャートである。
【図６】同じくグループ化状態の表示のために行う制御処理の一部を示すフローチャートである。
【図７】その別の一部を示すフローチャートである。
【図８】その更に別の一部を示すフローチャートである。
【符号の説明】
【００５０】
１１…ＣＰＵ、１２…メモリ、１３…外部機器Ｉ／Ｆ、１４…コンソール、１５…操作子、１６…表示部、１７…波形Ｉ／Ｏ、１８…ＤＳＰ、１９…システムバス、２０…ｃｈストリップ、２１…表示パネル、２２…ロータリーエンコーダ、２３…選択スイッチ、２４…ソロスイッチ、２５…オンスイッチ、２６…ＬＥＤ、２７…フェーダ、４０…グループ設定画面、４１…ｃｈ一覧表示部、４２…グループ一覧表示部、４３…グループ設定表示部
【図１】
2005277490.tif 000003
【図２】
2005277490.tif 000004
【図３】
2005277490.tif 000005
【図４】
2005277490.tif 000006
【図５】
2005277490.tif 000007
【図６】
2005277490.tif 000008
【図７】
2005277490.tif 000009
【図８】
2005277490.tif 000010
【手続補正書】
【提出日】平成17年2月16日(2005.2.16)
【手続補正１】
【補正対象書類名】明細書
【補正対象項目名】０００４
【補正方法】変更
【補正の内容】
【０００４】
このような技術に関しては、例えば特許文献１や非特許文献１に記載されている。そして、このようなミキサによれば、苦労してセッティングしたｃｈ間の音量バランスを崩すことなく、グループ内の各ｃｈの音量を一様に制御することができる。従って、ドラムやピアノ等の各パート毎に入力ｃｈをグループ化することにより、マイクセッティングで形成した音場感や音色を崩さずに各パートの音量を制御することができる。
【特許文献１】特開平３−５８３５１号公報
【非特許文献１】「ＤＩＧＩＴＡＬ  ＰＲＯＤＵＣＴＩＯＮ  ＣＯＮＳＯＬＥ  ＤＭ２０００  取扱説明書」，ヤマハ株式会社，２００２年，ｐ．５−６，７４